(57)【特許請求の範囲】
【請求項１】
病床の壁面（３）に設置した子機プレート（４）のフック（４１）に吊架するためのハンガー（１１）を有する複数個のハンド形子機（１）が、それぞれライン（Ｌ）を介して親機（２）に接続され、前記ハンド形子機のマイク（１ｍ）、スピーカ（１ｓ）と前記親機のスピーカ（２ｓ）、マイク（２ｍ）間で送受話を行うナースコールシステムにおいて、
前記子機プレートの前記フックに前記ハンガーが吊架されたとき動作するスイッチ手段（１２）と、前記スイッチ手段が動作したとき前記ハンド形子機の前記マイクからの送話レベルを増大させる音量調節回路（１３）とを有することを特徴とするナースコールシステム。
【発明の詳細な説明】
【０００１】
【発明の属する技術分野】
本発明はナースコールシステムに関し、特に、ハンド形子機を枕元においても、壁面の子機プレートに吊架しても、ハンド形子機のマイクから出力される音声信号のボリュームが一定となるナースコールシステムに係わる。
【０００２】
【従来の技術】
図４に示すように、従来、病院等に設置されているナースコールシステムの子機は、病室の各ベッドの壁面３に設けられた子機プレート４０にハンド形子機１０を吊架できるよう、ハンド形子機１０は、子機プレート４０のフック４９に吊架されるハンガー１９を有し、ハンド形子機１０はラインＬおよび子機プレート４０を介して親機２に接続されている。
【０００３】
図５に示すように、ハンド形子機１０はマイク１０ｍ、マイク負荷抵抗１０ｒ、送話アンプ１０ａ、スピーカ１０ｓ、送受話音量調整用ボリューム１０ｖ、呼出しボタン１０ｂとを有し、送話ラインＬにより子機プレート４０に接続され、子機プレート４０は、送話アンプ４０ａ、送話アンプ１０ａのための負荷および電源抵抗である抵抗４０ｒを備え、送話ラインＬによりナースステーションの親機２に接続され、ナースステーションの親機２は、マイク２ｍ、送話アンプ２ａ、スピーカ２ｓを備えている。
【０００４】
ナースステーションの親機２とハンド形子機１０との間では、ハンド形子機１０のマイク１０ｍおよびスピーカ１０ｓ、親機２のスピーカ２ｓおよびマイク２ｍ間で通話が行われ、また、ハンド形子機１０の呼出しボタン１０ｂから親機２の呼出しも行われる。
【０００５】
【発明が解決しようとする課題】
ところで、従来のナースコールシステムでは、ハンド形子機１０のマイク負荷抵抗１０ｒが一定であるため、マイク１０ｍに到達した話者の音量に依存した送話レベルで送話信号が送話ラインＬから親機２のスピーカ２ｓへ送られる。このため、患者がハンド形子機１０を枕元に置いて送話するとき（図３（ａ））と、ハンド形子機１０のハンガー１９を子機プレート４０のフック４９に吊架にして送話するとき（図３（ｂ））とでは、患者の声の大きさが一定である限り、親機２のスピーカ２ｓでは異なるレベルの声が発せられる。
【０００６】
すなわち、親機２のスピーカ２ｓが、ハンド形子機１０を子機プレート４０に吊架した状態のレベルに設定されていれば、ハンド形子機１０を枕元に置いた患者からの通話音は大きすぎ、逆に、ハンド形子機１０を枕元に置いた状態のレベルに設定すれば、ハンド形子機１０を子機プレート４０に吊架した患者からの通話音は小さすぎるという難点があった。
【０００７】
【発明の目的】
本発明は、このような難点を解消するためになされたもので、病室で使用されるハンド形子機が子機プレートに吊架されているか否かに拘らず、親機のスピーカ出力ボリュームが一定となるナースコールシステムを提供することを目的とする。
【０００８】
【課題を解決するための手段】
この目的を達成するため、請求項１に記載の本発明によるナースコールシステムは、病床の壁面に設置した子機プレートのフックに吊架するためのハンガーを有する複数個のハンド形子機が、それぞれラインを介して親機に接続され、ハンド形子機のマイク、スピーカと親機のスピーカ、マイク間で送受話を行うナースコールシステムにおいて、子機プレートのフックにハンガーが吊架されたとき動作するスイッチ手段と、スイッチ手段が動作したときハンド形子機のマイクからの送話レベルを増大させる音量調節回路とを有するものである。
【０００９】
ハンド形子機を子機プレートのフックに吊架すれば、スイッチ手段が動作し、音量調節回路が働いてハンド形子機のマイクからの送話レベルが増大する。よって、ハンド形子機をフックに吊架せず枕元に置いた場合と吊架して枕元から遠くした場合において、親機のスピーカからは同じ大きさの音量が得られる。
【００１０】
【発明の実施の形態】
以下、本発明によるナースコールシステムの実施例について図面を参照して詳述する。
図１（ｂ）に示すように、病院等に設置される本発明によるナースコールシステムの子機１は、病室の各ベッドの壁面３に設置された子機プレート４にハンド形子機１を吊架できるよう、ハンド形子機１は、子機プレート４のフック４１に吊架されるハンガー１１を有し、ハンド形子機１はラインＬおよび子機プレート４を介して親機２に接続されている。
【００１１】
図１（ａ）に示すように、ハンド形子機１はマイク１ｍ、送話アンプ１ａ、スピーカ１ｓ、送受話音量調整用ボリューム１ｖ、呼出しボタン１ｂ、スイッチ手段であるリミットスイッチ１２、音量調節回路としてのマイク負荷抵抗１３とを有し、送話ラインＬにより子機プレート４に接続される。
子機プレート４は、送話アンプ４ａ、送話アンプ１ａのための負荷および電源抵抗である抵抗４ｒを備え、送話ラインＬによりナースステーションの親機２に接続される。
【００１２】
複数個のハンド形子機１、１、…が接続されるナースステーションの親機２は、マイク２ｍ、送話アンプ２ａ、スピーカ２ｓを備えている。
ナースステーションの親機２とハンド形子機１との間では、ハンド形子機１のマイク１ｍおよびスピーカ１ｓ、親機２のスピーカ２ｓおよびマイク２ｍにより通話が行われ、また、ハンド形子機１の呼出しボタン１ｂから親機２の呼出しも行われる。
【００１３】
図１（ｃ）に示すように、子機プレート４のフック４１にハンガー１１が吊架されたときスイッチ手段１２を動作させるリブ４２が、フック４１に突設されている。
図２（ａ）に示すように、リミットスイッチ１２は、押圧されたときスイッチがオフされるスイッチ押圧部１２ｂ、リード線１２ｃ、位置決め穴１２ｘ、１２ｙを有する。なお、同図（ｂ）に示すようなリミットスイッチ１２’でも好適である。
【００１４】
同図（ｃ）に示すように、ハンド形子機１のハンガー１１は、リミットスイッチ１２を収納する収納部１１ａ、スイッチ押圧部１２ｂが収納される切り欠き１１ｂ、リード線１２ｃが挿通される挿通部１１ｃ、子機プレート４のフック４１に吊架される吊架部１１ｄ、リミットスイッチ１２の位置決め穴１２ｘ、１２ｙに挿通されハンガー１１に固定された位置決め棒１１ｘ、１１ｙを有する。
【００１５】
同図（ｄ）に示すように、リミットスイッチ１２は、ハンド形子機１のハンガー１１内に、位置決め穴１２ｘ、１２ｙと位置決め棒１１ｘ、１１ｙで位置決めされて収納される。
スイッチ手段１２が動作したときハンド形子機のマイク１ｍからの送話レベルを増大させる音量調節回路には、並列に接続される複数のマイク負荷抵抗１３ａ、１３ｂが、リード線１２ｃを介してマイク１ｍに接続される（図１（ｂ））。
【００１６】
なお、実施例ではスイッチ手段１２として、リミットスイッチを採用し、フック４１のリブ４２で動作できるようにしたが、フック４１とハンガー１１間の磁力作用で切換えられるようにしたリードスイッチ、あるいは、フック４１とハンガー１１間の相互作用により光量の変化を検出する光電スイッチも好適である。
次に本発明によるナースコールシステムの動作を説明する。
【００１７】
図３（ａ）に示すように患者がハンド形子機１を枕元に置いて送話するときには、スイッチ手段１２はオン状態で、音量調節回路としてのマイク負荷抵抗１３ａ、１３ｂが働き、マイク１ｓからの送話レベルは低く押えられている（図１（ａ））。
図３（ｂ）に示すようにハンド形子機１のハンガー１１を子機プレート４のフック４１に吊架すると、ハンガー１１に設けられたリミットスイッチ１２のスイッチ押圧部１２ｂがフック４１のリブ４２に当接して、スイッチがオフされる。このため、マイク負荷抵抗１３ｂが音量調節回路から切り離され、抵抗１３ａのみがマイク負荷抵抗となるので、マイク１ｓからの送話レベルは増大する。
【００１８】
ナースステーションの親機のマイク２ｓの出力レベルを、マイク負荷抵抗１３ａ、１３ｂの選択組合せによってあらかじめ、患者がハンド形子機１を枕元に置いた状態のレベル、又は患者がハンド形子機１を子機プレート４に吊架した状態のレベルに設定すれば、患者がハンド形子機１を枕元に置いて送話してきても、ハンド形子機１を子機プレート４に吊架した状態で送話してきても、親機のマイク２ｓの出力レベルを望ましい一定値に保持できる。
【００１９】
【発明の効果】
以上の説明から明らかなように本発明によるナースコールシステムによれば、病床の壁面に設置した子機プレートのフックに吊架するためのハンガーを有する複数個のハンド形子機が、それぞれラインを介して親機に接続され、ハンド形子機のマイク、スピーカと親機のスピーカ、マイク間で送受話を行うナースコールシステムにおいて、子機プレートのフックにハンガーが吊架されたとき動作するスイッチ手段と、スイッチ手段が動作したときハンド形子機のマイクからの送話レベルを増大させる音量調節回路とを有するので、ハンド形子機を子機プレートのフックに吊架すれば、スイッチ手段が動作し、音量調節回路が働いてハンド形子機のマイクからの送話レベルが増大し、ハンド形子機をフックに吊架せず枕元に置いた場合と、吊架して枕元から遠くした場合において、親機のスピーカからは相対的に同じ大きさの音量が得られる。
【図面の簡単な説明】
【図１】（ａ）は、本発明によるナースコールシステムの一実施例を示すブロック図、（ｂ）、（ｃ）は、本発明によるナースコールシステムの部分斜視図。
【図２】（ａ）〜（ｄ）は本発明による本発明によるナースコールシステムのスイッチ手段の説明図。
【図３】（ａ）、（ｂ）ともナースコールシステムの使用状態説明図。
【図４】従来のナースコールシステムの部分斜視図。
【図５】従来のナースコールシステムのブロック図。
【符号の説明】
１…ハンド形子機
１１…ハンガー
１２…スイッチ手段
１３…音量調節回路
１ｍ…ハンド形子機のマイク
１ｓ…ハンド形子機のスピーカ
２…親機
２ｍ…親機のマイク
２ｓ…親機のスピーカ
３…壁面
４…子機プレート
４１…フック
Ｌ…ライン
【図１】
0003552815.tif 000002
【図２】
0003552815.tif 000003
【図３】
0003552815.tif 000004
【図４】
0003552815.tif 000005
【図５】
0003552815.tif 000006